(57)【要約】　　　（修正有）【課題】ネットワークやテレコミュニケーションにおいてストール期間を最小にするデータ通信の方法を提供する。【解決手段】タイマの満了前に送信器によって不達データを紛失と特定する制御メッセージを送信することを含む。不達データは少なくとも１つのデータ・パケットを含むことができ、制御メッセージによって少なくとも１つの不達データ・パケットを特定する。制御メッセージは、不達データ・パケットを特定するフィールドおよび／または肯定応答シーケンス番号を含むことができ、ダミー・ペイロードおよび／またはゼロ・ペイロードを有するパケット・データ・ユニットを含むことができ、送信器が不達データ・パケットの送信および／または再送信をアボートしたことを受信器に伝達し、データ・パケットの送信に使用するのと同じデータ・チャンネルを介して受信器に伝達することができ、また、別法として、異なるチャンネルを介することもできる。【選択図】図１
2004135301.tif 000002
【特許請求の範囲】
【請求項１】
　データ通信の方法であって、
　タイマの満了前に不達データを紛失と特定する制御メッセージを送信すること
を含む方法。
【請求項２】
　前記不達データが少なくとも１つのデータ・パケットを含み、かつ前記制御メッセージが該少なくとも１つの不達データ・パケットを特定している、請求項１に記載の方法。
【請求項３】
　前記少なくとも１つの不達データ・パケットの送信および／または再送信に対してデータ・チャンネルを割り当てており、前記制御メッセージが該データ・チャンネルと異なるチャンネルを介して送信されている、請求項２に記載の方法。
【請求項４】
　データ通信の方法であって、
　タイマの満了前に不達データを紛失と特定する制御メッセージを受信すること
を含む方法。
【請求項５】
　前記不達データが少なくとも１つのデータ・パケットを含み、かつ前記制御メッセージが該少なくとも１つの不達データ・パケットを特定している、請求項４に記載の方法。
【請求項６】
　前記制御メッセージが前記不達データ・パケットを特定するためのフィールドおよび／または肯定応答シーケンス番号を備えている、請求項２または５に記載の方法。
【請求項７】
　前記制御メッセージがダミー・ペイロードおよび／またはゼロ・ペイロードを有するパケット・データ・ユニットを備えている、請求項２または５に記載の方法。
【請求項８】
　前記制御メッセージが受信器に対して前記少なくとも１つの不達データ・パケットの送信および／または再送信に関するアボートを伝達している、請求項２または５に記載の方法。
【請求項９】
　前記少なくとも１つの不達データ・パケットの受信に対してデータ・チャンネルを割り当てており、前記制御メッセージが該データ・チャンネルと異なるチャンネルを介して送信されている、請求項５に記載の方法。
【請求項１０】
　受信データ・パケットを保存するためのバッファと、
　タイマの満了後に前記バッファから前記保存したデータ・パケットを転送すること、少なくとも１つのデータ・パケットが不達であるか否かを判定すること、ならびにタイマの満了前の制御メッセージの受信に応答して前記バッファから前記保存したデータ・パケットを転送しかつ前記少なくとも１つの不達データ・パケットを紛失したと見なすこと、を行うための処理ユニットと
を備える通信デバイス。
【請求項１１】
　前記制御メッセージが前記不達データ・パケットを特定するためのフィールドおよび／または肯定応答シーケンス番号を備えている、請求項１０に記載の通信デバイス。
【請求項１２】
　前記制御メッセージがダミー・ペイロードおよび／またはゼロ・ペイロードを有するパケット・データ・ユニットを備えている、請求項１０に記載の通信デバイス。
【請求項１３】
　前記制御メッセージが受信器に対して前記少なくとも１つの不達データ・パケットの送信および／または再送信に関するアボートを伝達している、請求項１０に記載の通信デバイス。
【請求項１４】
　前記少なくとも１つの不達データ・パケットの受信に対してデータ・チャンネルを割り当てており、前記制御メッセージが該データ・チャンネルと異なるチャンネルを介して送信されている、請求項１０に記載の通信デバイス。
【発明の詳細な説明】
【技術分野】
【０００１】
　本発明は、ネットワークおよびテレコミュニケーションに関し、さらに詳細にはデータの伝達に関する。
【背景技術】
【０００２】
　ワイヤレス通信システムは地理的に分散された多数のセルラー通信基地すなわち基地局を利用している。各基地局は静止した、すなわち固定のワイヤレス通信デバイスすなわちユニットに対する通信信号の送信および受信をサポートしている。各基地局は一般にセル／セクタと呼ばれるある特定の領域にわたる通信を扱っている。１つのワイヤレス通信システムに関する全カバーエリアは配備した基地局に関するセルを結合させることにより画定される。この際、隣接するすなわち隣り合うセル基地に関するカバーエリアを互いに重なり合わせ、可能であれば、システムの外側境界内で連続した通信カバー範囲を保証することができる。
【０００３】
　動作時において、ワイヤレス・ユニットは順方向リンクすなわちダウンリンクを介して少なくとも１つの基地局からの信号を受信し、逆方向リンクすなわちアップリンクを介して信号を少なくとも１つの基地局に送信している。セルラー通信システムに関するリンクまたはチャンネルを規定するためには、たとえばＴＤＭＡ（時分割多重アクセス）、ＦＤＭＡ（周波数分割多重アクセス）、ＣＤＭＡ（コード分割多重アクセス）方式を含め多くの異なる方式が存在する。ＣＤＭＡ通信では、異なる情報ストリームをエンコードするために使用し、次いで同時送信のために１つまたは複数の異なる搬送波周波数で変調することがあるような異なるチャンネル化コードまたはシーケンスによって、異なるワイヤレス・チャンネルが特徴付けされる。受信器は受信信号をデコードするための適当なコードまたはシーケンスを用いて、受信した信号からの特定のストリームを復元することができる。
【０００４】
　音声用途では、従来のセルラー通信システムはワイヤレス・ユニットと基地局の間で専用のリンクを利用している。音声通信は本来遅延に寛容でない。このため、ワイヤレス・セルラー通信システムのワイヤレス・ユニットは１つまたは複数の専用のリンクを介して信号を送信および受信している。ここで、作動している各ワイヤレス・ユニットでは一般に、ダウンリンク上の専用リンク、ならびにアップリンク上の専用リンクの割り当てが必要となる。
【０００５】
　インターネットが爆発的に拡大しデータに対する需要が増大したため、セルラー通信システムではリソース管理が問題として大きくなってきた。次世代のワイヤレス通信システムでは、インターネット・アクセスやマルチメディア通信をサポートした高速のパケット・データ・サービスが提供されるものと予測される。しかし音声と異なり、データ通信は比較的遅延に寛容で本来潜在的にバースト性である。このことからデータ通信では、ダウンリンク上やアップリンク上に専用のリンクを必要とせず、それどころか多数のワイヤレス・ユニットによって１つまたは複数のチャンネルを共有することが可能である。この仕組みによると、アップリンク上のワイヤレス・ユニットの各々は利用可能なリソースを奪い合うことになる。アップリンクにおける管理対象のリソースとしては、たとえば、基地局における受信電力、各ユーザによって生成される同一セクタまたはセル内ならびに別のセクタまたはセル内の他のユーザに対する干渉、が含まれる。このことは、固定した送信電力供給を含むダウンリンク上の管理対象リソースと対照的である。
【０００６】
　データ通信は比較的遅延に寛容で本来潜在的にバースト性であるが、次世代のワイヤレス通信システムにおいて予期される１つの問題としてデータ・ブロックまたはデータ・パケット送信の失敗がある。さらに詳細にはたとえば、ある基地局による多数のパケットのうちの１つまたは複数のデータ・パケットの特定されたワイヤレス・ユニットへの送信が不首尾となることがある。この失敗の結果、この基地局はたとえばハイブリッド自動反復要求（「ＨＡＲＱ」）など再送信技法を任意の数使用して、ワイヤレス・ユニットによる受信が不首尾であったデータ・パケット（複数のこともある）を送達させることがある。基地局は前回の送信が不首尾であったパケットを再送信するように試みるが、その他のデータ・パケットが引き続いてワイヤレス・ユニットに送信されることがある。
【０００７】
　高速ダウンリンク・パケット・アクセス（「ＨＳＤＰＡ」）システムでは、各ワイヤレス・ユニットは基地局によってセットするタイマを利用している。パケット・データは順次方式で基地局からワイヤレス・ユニットに送信される。正常に受信されると、ワイヤレス・ユニットは同じ順序で処理させるようにそのバッファからパケット・データを引き渡す。受信の間にワイヤレス・ユニットが受信データ・パケットのシーケンス順にギャップが生じたと判断した場合、ワイヤレス・ユニットは不達データ・パケット（複数のこともある）に対するタイマをスタートさせる。このタイマは、送信および／または再送信方式（複数のこともある）によって不達であると認められた各データ・パケットが正しく受信される間ワイヤレス・ユニットが待機するためのタイム・ウィンドウを提供する。再送信方式によっても、このタイマ・ウィンドウの経過前に不達データ・パケット（複数のこともある）がワイヤレス・ユニットに正しく送達されない場合は、ワイヤレス・ユニットはそのパケット（複数のこともある）が紛失したものと見なす。
【０００８】
　データ・パケットが紛失となる理由はさまざまである。１つのケースでは、基地局があるデータ・パケットに対する最大再送信試行回数を超えてしまい、それ以上の再送信が許容されないと判断することがある。２つめとしては、基地局がデータ・パケット（複数のこともある）の送信または再送信が片方向性にアボートしたと判断することがある。３つめとしては、基地局がより優先度が高い顧客（複数のこともある）またはより優先度が高いデータに対してそのリソースが必要であると判断することがあり、このため「不達の（ｍｉｓｓｉｎｇ）」データ・パケットの送信および／または再送信を終了させてしまうことがある。４つめとしては、ワイヤレス・ユニットがエラーを伴う送信データ・パケットを受け取ることがある。この場合、ワイヤレス・ユニットはＮＡＣＫ（たとえば、エラーのあるデータ・パケットの受信を示す否定応答）を送信するが、基地局は誤ってＡＣＫ（たとえば、ワイヤレス・ユニットがデータ・パケットを正しく受け取ったことを示す肯定応答）を受け取ってしまい、このため、この基地局は再送信を行わないことになる。
【０００９】
　このため、ＨＳＤＰＡシステムでは、基地局は送信および／または再送信の任意の点においてこの不達の１つまたは複数のデータ・パケットを紛失したと判定することがある。しかしこれと対照的に、ワイヤレス・ユニットはタイマが満了するまでこの不達データ・パケット（複数のこともある）を紛失したと確認することがない。このため、ワイヤレス・ユニットはタイマが満了するまで待機した後に、受信したデータ・パケットの処理および／または別のさまざまな技法による紛失パケット（複数のこともある）の回復の試行を行う必要がある。この遅延、すなわちタイマが満了するまでの待機時間のことをストール（ｓｔａｌｌ）期間と呼ぶことがある。
【００１０】
　ストール期間の長さは比較的長い時間となることがある。基地局は、たとえば再送信をアボートすること、またはより優先度が高い顧客（複数のこともある）または優先度が高いデータを扱うように決定することによって、基地局によるタイマの設定と比べてかなり短い時間で不達パケットを紛失したと判定することができる。このタイマは初めに、ワイヤレス・ユニットが不達データ・パケットに対して所定回数の再送信試行を処理することができるように控えめに設定することに留意すべきである。各送信の完了時間のランダムさのために、指定した回数の再送信試行を完了させるための時間はさまざまに異なることがある。このため、有効な送信が途中で終わることがないようにタイマを控えめに設定する。
【発明の開示】
【発明が解決しようとする課題】
【００１１】
　上述のことから、不必要な遅延を回避し最小にするような高効率で高速のデータ通信をサポートした方法に対する要求が存在する。さらに、ワイヤレス・ユニットにおいてストール期間を最小にする方法に対する必要性が存在する。
【課題を解決するための手段】
【００１２】
　本発明は、ネットワークやテレコミュニケーションにおいてストール期間を最小にするようなデータ通信のための方法を提供する。さらに詳細には、本発明は、たとえばワイヤレス・ユニットなどの受信器に対して不達データが紛失したことを伝達する制御メッセージを、たとえば基地局などの送信器から送信させる方法を提供する。この制御メッセージはさらに、送信器が紛失データの送信および／または再送信をアボートしたことも伝達する。本発明の目的のためには、この制御メッセージは送信器が紛失したと判定したデータを特定するための信号とすることがある。この制御メッセージは、紛失パケットを特定するためのフィールドを備えることがある。さらに、この制御メッセージはダミーまたはゼロ・ペイロードを有する制御パケット・データ・ユニット（「ＰＤＵ」）を備えることがある。
【００１３】
　本発明の一実施形態では、その制御メッセージは１つまたは複数の不達データ・パケットが紛失したことをワイヤレス・ユニットに伝達するように基地局から送信される。この制御メッセージによって紛失データ・パケット（複数のこともある）を特定する。制御メッセージを受け取った後には、特定された不達パケット（複数のこともある）に関してワイヤレス・ユニット内でスタートさせたタイマを停止させる、またはリセットさせることがある。次いでワイヤレス・ユニットは、受信するデータ・パケットをあたかもそのバッファ内ですでに受信済みであるかのように扱い、バッファ内で正常に連続して受信された残りのデータ・パケットを処理することがある。タイマがリセットされると、ワイヤレス・ユニットは、バッファ内に受信し保存してあるデータ・パケットの処理および／または紛失パケット（複数のこともある）を回復させるための別の方法の試行を開始することがある。
【００１４】
　本発明の別の実施形態では、通信デバイスが受信したデータ・パケットを保存するためのバッファを備えている。この通信デバイスはさらに、不達データ・パケット（複数のこともある）に対するタイマがすべて満了した後で、保存してあるデータ・パケットをバッファから転送するための処理ユニットを備えている。この処理ユニットはさらに、１つまたは複数のデータ・パケットが不達であるか否かを判定することができる。タイマの満了前の制御メッセージの受信に応答して、処理ユニットはバッファから保存してあるデータ・パケットを転送し、制御メッセージにおいて特定されたデータ・パケット（複数のこともある）が紛失したと見なすことがある。
【００１５】
　本発明は、添付の図面を参照しながら非限定の実施形態に関する以下の説明を読むことによってより理解が深まろう。
【００１６】
　例示的な適用に関するこれらの図面は寸法通りになっておらず、単に概略を表していること、したがって、本発明に関する特定の大きさを図示する意図ではなく、当業者は本明細書の開示の検討を通じてこれらを判定することができること、を強調しておくべきである。
【発明を実施するための最良の形態】
【００１７】
　本発明は、ネットワークやテレコミュニケーションにおいてストール期間を最小にするようなデータ通信のための方法を提供する。ストール期間は受信器内のタイマが満了するまで待機する遅延に対応する。受信器内のタイマは送信器によって設定し受信器が不達であると認めたデータをタイマの満了により紛失と見なす際のウィンドウを機能的に確立させることがある。本発明は制御メッセージを使用することによってストール期間を最小にしている。本発明の目的のためには、制御メッセージは、不達データが紛失したことおよび／または送信器によるアボートを特定している信号とすることができる。
【００１８】
　図１を参照すると、本発明の一実施形態を表した流れ図を示している。さらに詳細には、パケットの形式で構成させたデータに対するたとえばネットワーク（複数のこともある）を介した伝達においてストール期間を最小にするための方法（１０）を表している。本発明の目的においては、データという語により、データ・パケット（複数のこともある）、データ・ビット（複数のこともある）、シンボル（複数のこともある）、および／またはパケット、ビットおよび／またはシンボルからなる情報ストリームを指し示している。さらに、ネットワークという語は有線式およびワイヤレスの通信システムを含むことができることに留意すべきである。
【００１９】
　まず、受信器において紛失と認められた送信データ・パケット（複数のこともある）に対するタイマはネットワークによって受信器に送られる（２０）。たとえば基地局などこのデータ・パケットの送信器は、このタイマを設定することができる。さらに、このタイマは、ワイヤレス・ユニットなど再送信データ・パケットの各々を受信するための受信器内に常駐させることができる。タイマの設定にあたっては、たとえば基地局のリソース、システム遅延、ならびに無線インタフェースの減衰パターンを含めさまざまな条件および／または検討事項を考慮に入れることがある。このタイマはさらに、ワイヤレス・ユニットが不達と見なしたデータ・パケットに対して指定した回数の再送信試行を処理する機会をワイヤレス・ユニットに与え、これによって有効な送信が途中で終了しないように保証されるように設定することがある。
【００２０】
　その後、基地局は各データ・パケットの送信を開始する（３０）。この送信工程には、最初の送信でデータ・パケットの受信が不首尾であった場合の再送信工程を含むことができる。このケースでは、最初の送信でデータ・パケットは正しくワイヤレス・ユニットによって受信できていない。このため、ワイヤレス・ユニットは（データ・パケットが正しく受信された場合におけるＡＣＫと反対となる）ＮＡＣＫを基地局に戻す。このＮＡＣＫに応答して、基地局は、たとえばＨＡＲＱなど多数の再送信方式のうちの１つを用いて、物理レイヤなどの通信リンクを介してデータ・パケットを再送信することができる。
【００２１】
　本方法はその後で、送信データ・パケットが受信済みであるか否かを判定する工程（４０）を含む。ここで、受信したデータ・パケットの各々をバッファに入力する（５０）。これらのデータ・パケットは、上で詳述したように、最初の送信や再送信工程を通じて受信されることがある。
【００２２】
　しかし、送信しようとするデータ・パケットが指定された順序を有することがある。バッファは各データ・パケットを受信した後、これらをパケット自体の指定順序に従って保存するように構成している。しかしワイヤレス・ユニットは、たとえば無線インタフェースの減衰パターン、利用可能な基地局リソース、送信遅延、その他の基地局遅延、ならびに送信の際のエラーなどを含むさまざまな理由のためパケットを指定された順序で受信できないことがある。したがって、本方法は、データ・パケット（複数のこともある）が不達であるか否かを判定するための工程（６０）を含んでいる。データ・パケット（複数のこともある）が不達でない場合は、フィードバック・ループによって送信データ・パケットが受信済みであるか否かを判定する工程（４０）に戻る。
【００２３】
　データ・パケットの受信が順序通りでないことがある場合、バッファは各データ・パケットに対してメモリ位置を割り当てる。さらに詳細には、バッファは割り当てたメモリ位置を到着が遅れているデータ・パケットのためにあけたままにしておく。データ・パケットの受信が順序通りでないと、そのデータ・パケットはそれ以外の受信データ・パケットに対して遅れていると見なされることがある。バッファが遅れているデータ・パケットを待つ間に、まず最初に送信基地局によって設定しておいたタイマを後続の工程（７０）でスタートさせカウントダウンを始める。遅れているデータ・パケットの到着前にタイマが満了になると、ワイヤレス・ユニットはデータ・パケットを紛失したと判定することがある。タイマの満了までのこの待機期間（一般にストール期間と呼ばれる）は、たとえばＨＳＤＰＡシステムによりサポートされるある種のデータ・アプリケーションに関するボトルネックとなることがある。
【００２４】
　しかし、このストール期間中に、基地局はすでに不達データ・パケットが紛失したと判定済みであるが、ワイヤレス・ユニットにとっては未知であることがある。不達データ・パケットは、そのデータ・パケットに対する再送信の最大試行回数を超えた後に基地局によって生成されるエラー（複数のこともある）のために紛失となることがある。不達データ・パケットはさらに、基地局がデータ・パケットの送信または再送信をアボートしたために紛失となることがある。基地局はさらに、そのリソースがより優先度が高い顧客（複数のこともある）またはより優先度が高いデータに供する必要があると判定することがあり、これによって基地局は「不達の」データ・パケットの送信および／または再送信の終了を強制されることがある。さらに、ワイヤレス・ユニットはエラーを伴う送信データ・パケットを受信し、基地局にＮＡＣＫを戻すことがある。しかしこの際、基地局が誤って代わりにＡＣＫ（たとえば、肯定応答）を受け取ってしまうことがある。
【００２５】
　基地局が不達データ・パケットが紛失したと判定した場合、本方法は制御メッセージをワイヤレス・ユニットに送信する工程（８０）を含む。この制御メッセージによって、ワイヤレス・ユニットに対して基地局がデータ・パケットの送信および／または再送信をアボートしたことが伝達される。制御メッセージを受信しているため、ワイヤレス・ユニットはタイマの満了を待つ必要がなくなり、これによってデータの通信が促進される。制御メッセージの受信に応答して、ワイヤレス・ユニットは処理のためにそのバッファに保存した受信データ・パケットの転送および／または別のさまざまな技法による紛失パケットの回復の試行を行うことができる。これらの技法には、たとえば無線リンク制御（「ＲＬＣ」）レイヤを利用することを含むことがある。
【００２６】
　制御メッセージはもはや送信および／または再送信されない（すなわち、アボートとなった）データ・パケット（複数のこともある）をワイヤレス・ユニットに対して特定している。この情報は、以下で詳述するように、基地局とワイヤレス・ユニットの間でさまざまな異なる構成を用いて伝達することがある。たとえば、制御メッセージは、不達データ・パケットを特定しているフィールドおよび／または基地局がアボートしたデータ・パケットを特定するための肯定応答シーケンス番号（「ＡＳＮ」）を含むヘッダ・コンポーネントを備えることがある。
【００２７】
　制御メッセージは単に、異なるチャンネルを介して通信される信号とする可能性もあることに留意すべきである。このケースでは、データ・チャンネルはデータ・パケットを送信および／または再送信するために使用することができる。この例ではワイヤレス・ユニットに制御メッセージを送信するためのチャンネルは、データ・チャンネルとは別の異なるチャンネルである。
【００２８】
　ある種の状況では、データ・パケットが不達であるのに、基地局がその不達データ・パケットを紛失と判定できないことがある。この場合、制御メッセージを待つのではなく、ワイヤレス・ユニットはストール期間の満了を待つ。その後、ワイヤレス・ユニットは、後続の処理のためのバッファに保存した受信データ・パケットの転送および／またはたとえばＲＬＣレイヤを用いるなど別のさまざまな技法による紛失パケットの回復の試行を行う。
【００２９】
　図２を参照すると、本発明の別の実施形態を表している。ここでは、第１の送受信装置１１０および第２の送受信装置１５０を有するワイヤレス通信システム１００を表している。簡単にするため、第１の送受信装置１１０を基地局とし、また第２の送受信装置１５０をワイヤレス・ユニットとしている。
【００３０】
　基地局１１０は到来するデータをパケット化するための処理ユニット１２０を含む。その後、得られたこれらのデータ・パケットはバッファ１３０に供給される。バッファ１３０は、アンテナ構造１４０によって後で送信するために処理ユニット１２０が決定したシーケンスでデータ・パケットを保存する。データ・パケットの送信はさらに、処理ユニット１２０によってスケジューリングされていることがある。処理ユニット１２０はさらに、ワイヤレス・ユニット１５０が基地局１１０から送信された不達データ・パケットの各々をその間待機することができるタイム・ウィンドウを確立させている。このタイム・ウィンドウはさらにアンテナ構造１４０を通じて送信される。さらに、処理ユニット１２０は、基地局１１０が１つまたは複数のデータ・パケットの送信および／または再送信のアボートを決定した場合にアンテナ構造１４０を通じて送信させる制御メッセージを作成する。作成されるこの制御メッセージは、アボートすべき不達のデータ・パケットの特定に関する情報を含むことがある。この特定情報は処理ユニット１２０により作成されるＡＳＮによって実現することができる。
【００３１】
　ワイヤレス・ユニット１５０は基地局１１０からタイミング・ウィンドウを受け取るためのアンテナ構造１９０を備えている。このタイミング・ウィンドウはタイマ１６０に順次供給される。さらに、基地局１１０から送信されたデータ・パケットもまた、アンテナ構造１９０を通じて受信される。各データ・パケットは基地局１１０の処理ユニット１２０によって決定されたシーケンスに従ってバッファ１７０内に保存される。データ・パケット上に存在するヘッダによって受信パケットをバッファ１７０に保存する際のシーケンスを決定することができる。
【００３２】
　ワイヤレス・ユニットはさらに処理ユニット１８０を備えている。タイマ１６０のタイム・ウィンドウが満了すると、処理ユニット１８０はシーケンスに従って保存したパケットを後続の処理のためにバッファ１７０から転送させる。さらに、処理ユニット１８０は、バッファ１７０において少なくとも１つのデータ・パケットが不達であるか否かを判定しタイマの満了または不達データ・パケットのアボートを特定している制御メッセージの受信のいずれかを待つ。タイマの満了前に制御メッセージを受信した場合、処理ユニット１８０は後続の処理のため保存してあるパケットのバッファ１７０からの転送および／またはたとえばＲＬＣレイヤを用いるなど別のさまざまな技法による紛失パケットの回復の試行を行う。制御メッセージによる後続の処理および／または回復の試行の促進を可能にすることによって起こりうるストール期間が最小になるため、ワイヤレス通信システム１００はより高速のデータ通信のサポートにより通信が行える。
【００３３】
　通信システム１００で制御メッセージを利用することによって、さまざまな特長を実現することができる。第１に、通信システム１００は最小限のストール期間を有するようにすべきである。その理由は、基地局１１０によるアボートがワイヤレス・ユニットに伝達され、そのアボートされたデータ・パケットをＲＬＣなど上位の通信レイヤに転送してストールを最小限にできるからである。
【００３４】
　第２に、通信システム１００はそのリソースの利用をより効率よくすべきである。制御メッセージがダミーまたはゼロ・ペイロードを有するＰＤＵを備えている場合、不達データ・パケットがアボートしたときにシステム１００にかかる負担を最小限とすべきである。このことは、ＰＤＵの非有意サイズによっている。
【００３５】
　第３に、基地局１１０は、他のワイヤレス・ユニットやデータ・パケットの不達を生じたワイヤレス・ユニット１５０に対してダウンリンク送信の予定がない場合にＰＤＵを利用して制御メッセージを送信することがある。こうしたことは、到来するデータ・パケットが、ワイヤレス・ユニット１５０のバッファ１７０内でストールを生じたデータ・ブロックのフラッシュ（ｆｌｕｓｈ）に役立たせる程に十分でない場合の低負荷のケースに起き、またさらにはストールの改善の優先度が高いようなケースにも起こる。さらに、ＰＤＵを利用している場合、制御メッセージは帯域内信号であるため比較的耐性が高い。制御メッセージによってアボートしたデータ・パケット（複数のこともある）の特定を促進させるべきである。
【００３６】
　図３（ａ）を参照すると、制御メッセージ２００の第１のフォーマットを図示している。制御メッセージ２００はヘッダ２１０およびペイロード２４０を備えている。ヘッダ２１０は伝達されるデータ・パケットのシーケンス内においてペイロード２４０を特定するための送信シーケンス番号（「ＴＳＮ」）を備えた先頭ヘッダ２２０を含んでいる。さらに、ヘッダ２１０は基地局によってアボートされたデータ・パケットを特定するためのＡＳＮを備えた２次ヘッダ２３０も含んでいる。
【００３７】
　図３（ｂ）を参照すると、制御メッセージ３００の第２のフォーマットを図示している。この場合、制御メッセージ３００はヘッダ３２０、一連のフィールド３３０および３４０、ならびにダミーまたはゼロ・ペイロードを有する制御ＰＤＵ３５０を備えている。ヘッダ３２０は、基地局によってアボートされたデータ・パケットを特定するためのＡＳＮを含むことがある。このため、制御メッセージ３００では、たとえ使用されたとしても、その要するヘッダを制御メッセージ２００と比べてより少なくすることができる。しかし、フィールド３３０および／または３４０によってアボートされたデータ・パケットを特定する場合、ヘッダ３２０に別の機能を果たさせることができる。制御メッセージ３００は単に、パケット以外のフォーマットで構成させた信号を含むことがあることに留意すべきである。この点で、制御メッセージ３００はデータ・パケットの送受信に利用するデータ・チャンネルと異なるチャンネルを介して送信することができる。
【００３８】
　本発明について例示的な実施形態を参照しながら記載してきたが、この記載は限定の意味と解釈させる意図ではない。本発明について記載してきたが、例示的な実施形態ならびに本発明の追加的実施形態に関するさまざまな修正は、本発明の精神を逸脱することなく添付の特許請求の範囲に記載に従いながらこの記述を参照することによって当業者には明らかとなろう。このため、本方法、システム、ならびにこれらおよび記載した方法とシステムの一部は、ネットワーク要素、ワイヤレス・ユニット、基地局、基地局コントローラ、モバイル交換センタおよび／またはレーダー・システムなどさまざまな箇所で実現することができる。さらに、記載したシステムを実現し使用するために必要な処理回路は特定用途向け集積回路、ソフトウェア駆動の処理回路、ファームウェア、プログラム可能な論理デバイス、ハードウェア、この開示の恩恵によって当業者により理解されるような上記要素に関する離散的要素および配置、により実現することができる。当業者であれば、本明細書で図示し記載した例示的な適用に厳格に従わずに、かつ本発明の精神および趣旨を逸脱することなく、本発明に対してこれらおよびその他のさまざまな修正、配置および方法が可能であることを容易に理解するであろう。したがって、添付の特許請求の範囲は本発明の真の趣旨内に属するような修正形態や実施形態をカバーするように企図している。
【図面の簡単な説明】
【００３９】
【図１】本発明の一実施形態を表した図である。
【図２】本発明の別の実施形態を表した図である。
【図３Ａ】本発明の別の実施形態を表した図である。
【図３Ｂ】本発明の別の実施形態を表した図である。
【図１】
2004135301.tif 000003
【図２】
2004135301.tif 000004
【図３Ａ】
2004135301.tif 000005
【図３Ｂ】
2004135301.tif 000006